(57)【要約】本出願は、一実施形態によれば、第一の電極の第一のパターンを有する第一の透明層（３１（３１））が透明ベースフィルム（２）の第一の側（２ａ（２ａ））に提供され、たとえば堆積され、第二の電極の第二のパターンを有する第二の透明層（３２（３２））が透明ベースフィルム（２）の第二の側（２ｂ（２ｂ））に提供され、たとえば堆積される透明導電性フィルム（１）に関する。さらに、本出願は、透明導電性フィルムを製造するための方法に関する。さらに、本出願は、タッチ検出装置およびさまざまな使用に関する。【選択図】図２
2020524841.tif 000002
【特許請求の範囲】
【請求項１】
観測領域（７）を有する透明導電性フィルム（１）であって、前記透明導電性フィルムは、
第一の側（２ａ）と前記第一の側（２ａ）の反対側の第二の側（２ｂ）とを有する少なくとも一枚の透明ベースフィルム（２）と、
前記観測領域（７）において前記少なくとも一枚の透明ベースフィルム上に提供された、
−第一の電極の第一のパターン（４ａ）と、任意選択として、第一の電極の前記第一のパターンから分離された少なくとも一つの第一のパッシブギャップ区域（６ａ）と、を有するようにパターン形成される透明導電体材料を含む第一の透明層（３１）と、
−第二の電極の第二のパターン（４ｂ）と、任意選択として、第二の電極の前記第二のパターンから分離された少なくとも一つの第二のパッシブギャップ区域（６ｂ）と、を有するようにパターン形成される透明導電体材料を含む第二の透明層（３２）と、
を含み、
前記第一の透明層（３１）と前記第二の透明層（３２）とは、前記第一の透明層の前記透明導電体材料と前記第二の透明層の前記透明導電体材料とが、
−基本的に垂直な方向から前記少なくとも一枚の透明ベースフィルム（２）の前記第一の側（２ａ）または前記第二の側（２ｂ）を見たとき、前記第一の透明層の透明導電体材料と前記第二の透明層の透明導電体材料とが少なくとも部分的に重なるように見える少なくとも一つの交差区域（５１、５２．．．５ｎ）と、
−前記第一の透明層の透明導電体材料と前記第二の透明層の透明導電体材料とが重なるように見えない少なくとも一つの重ならない区域（８１、８２．．．８ｎ）と、
を形成するように、垂直方向で一方が他方の上に配置され、
前記少なくとも一つの交差区域における前記第一の透明層（３１）と前記第二の透明層（３２）との少なくとも一方の前記透明導電体材料の被覆率は、前記第一の透明層の透明導電体材料と前記第二の透明層の透明導電体材料とが重なるように見えない前記少なくとも一つの重ならない区域（８１、８２．．．８ｎ）における前記第一の透明層または前記第二の透明層の前記透明導電体材料の被覆率より低くなるように低減され、その結果、前記第一の透明層と前記第二の透明層との前記透明導電体材料を通って透過する可視光の合計百分率は、前記観測領域にわたって実質的に同じである、
透明導電性フィルム。
【請求項２】
前記第一の透明層（３１）と前記第二の透明層（３２）とは、前記基本的に垂直な方向から前記少なくとも一枚の透明ベースフィルム（２）の前記第一の側（２ａ）または前記第二の側（２ｂ）を見たとき、前記第一の電極（４ａ）と前記第二の電極（４ｂ）とが、前記第一の電極と前記第二の電極とが重なるように見える少なくとも一つの交差区域（５１、５２．．．５ｎ）を形成するように、垂直方向で一方が他方の上に配置される、請求項１に記載の透明導電性フィルム。
【請求項３】
前記第一の透明層（３１）は、少なくとも一つの第一のパッシブギャップ区域（６ａ）を有するようにパターン形成され、前記第二の透明層（３２）は、少なくとも一つの第二のパッシブギャップ区域（６ｂ）を有するようにパターン形成され、前記少なくとも一つの第一のパッシブギャップ区域（６ａ）と前記少なくとも一つの第二のパッシブギャップ区域（６ｂ）とは、基本的に垂直な方向から前記少なくとも一枚の透明ベースフィルム（２）の前記第一の側（２ａ）または第二の側（２ｂ）を見たとき、少なくとも部分的に重なっているように見える、請求項１〜２のいずれか一項に記載の透明導電性フィルム。
【請求項４】
前記第一のパッシブギャップ区域（６ａ）は、第一の端（６ａ１）と前記第一の端（６ａ１）の反対側の第二の端（６ａ２）とを有し、前記第二のパッシブギャップ区域（６ｂ）は、第一の端（６ｂ１）と前記第一の端（６ｂ１）の反対側にある第二の端（６ｂ２）とを有し、前記透明導電体材料の被覆率は、前記第一のパッシブギャップ区域の前記第一の端から前記第二の端へ徐々にまたは連続的に低減され、一方、前記透明導電体材料の被覆率は、逆に前記第二のパッシブギャップ区域の前記第二の端から前記第一の端へ徐々にまたは連続的に低減され、あるいはその逆である、請求項３に記載の透明導電性フィルム。
【請求項５】
前記第一の透明層（３１）は、透明ベースフィルム（２）の前記第一の側（２ａ）に提供され、前記第二の透明層（３２）は、前記透明ベースフィルム（２）の前記第二の側（２ｂ）に提供される、請求項１〜４のいずれか一項に記載の透明導電性フィルム。
【請求項６】
前記第一の透明層（３１）は、第一の透明ベースフィルム（２１）上に提供され、前記第二の透明層（３２）は、第二の透明ベースフィルム（２２）上に提供され、前記第一の透明層と前記第二の透明層とは、前記第一の透明ベースフィルム（２１）または前記第二の透明ベースフィルム（２２）が、前記第一の透明層（３１）と前記第二の透明層（３２）との間に位置するように、垂直方向で一方が他方の上に配置される、請求項１〜４のいずれか一項に記載の透明導電性フィルム。
【請求項７】
前記第一の透明層（３１）は、透明ベースフィルム（２）の前記第一の側（２ａ）に提供され、前記第二の透明層（３２）は、前記透明ベースフィルム（２）の同じ第一の側（２ａ）に提供され、その結果、前記第一の透明層（３１）と前記第二の透明層（３２）とは垂直方向で一方が他方の上に配置され、その結果、前記第一の電極と前記第二の電極とは、少なくとも一つの交差区域（５１、５２．．．５ｎ）において重なるように見え、一方、前記第一の電極の第一のパターンと前記第二の電極の第二のパターンとは、それ以外で重ならない、請求項１〜４のいずれか一項に記載の透明導電性フィルム。
【請求項８】
前記透明導電性フィルムの前記少なくとも一枚の透明ベースフィルムの少なくとも一枚が誘電体材料でできているか、または前記透明導電性フィルムの前記透明ベースフィルムのすべてが誘電体材料でできている、請求項１〜７のいずれか一項に記載の透明導電性フィルム。
【請求項９】
前記透明導電体材料は、導電性高アスペクト比分子構造体（ＨＡＲＭＳ：ｈｉｇｈ  ａｓｐｅｃｔ  ｒａｔｉｏ  ｍｏｌｅｃｕｌａｒ  ｓｔｒｕｃｔｕｒｅ）ネットワークを含む、請求項１〜８のいずれか一項に記載の透明導電性フィルム。
【請求項１０】
前記透明導電体材料は、透明導電性酸化物を含む、請求項１〜８のいずれか一項に記載の透明導電性フィルム。
【請求項１１】
前記透明導電体材料は、グラフェン、銀ナノワイヤ、ポリ（３，４−エチレンジオキシチオフェン）ＰＥＤＯＴ、ポリ（３，４−エチレンジオキシチオフェン）ポリスチレンスルホネートＰＥＤＯＴ：ＰＳＳ、ポリアニリンまたは金属メッシュ導電体を含む、請求項１〜８のいずれか一項に記載の透明導電性フィルム。
【請求項１２】
前記透明導電性フィルムは、熱成形および／または射出成形に付されている、請求項１〜１１のいずれか一項に記載の透明導電性フィルム。
【請求項１３】
前記透明導電性フィルムは、透明タッチ検知フィルムである、請求項１〜１２のいずれか一項に記載の透明導電性フィルム。
【請求項１４】
観測領域（７）を有する透明導電性フィルム（１）を製造するための方法であって、前記方法は、
第一の側（２ａ）と前記第一の側（２ａ）の反対側の第二の側（２ｂ）とを有する少なくとも一枚の透明ベースフィルム（２）を提供するステップと、
前記観測領域において前記少なくとも一枚の透明ベースフィルム上に
−第一の電極の第一のパターン（４ａ）と、任意選択として、前記第一の電極の第一のパターンから分離された少なくとも一つの第一のパッシブギャップ区域（６ａ）と、を有するようにパターン形成される透明導電体材料を含む第一の透明層（３１）と、
−第二の電極の第二のパターン（４ｂ）と、任意選択として、前記第二の電極の第二のパターンから分離された少なくとも一つの第二のパッシブギャップ区域（６ｂ）と、を有するようにパターン形成される透明導電体材料を含む第二の透明層（３２）と、
を提供するステップと、を含み、
前記第一の透明層（３１）と前記第二の透明層（３２）とは、前記第一の透明層の前記透明導電体材料と前記第二の透明層の前記透明導電体材料とが、
−基本的に垂直な方向から前記少なくとも一枚の透明ベースフィルム（２）の前記第一の側（２ａ）または前記第二の側（２ｂ）を見たとき、前記第一の透明層の透明導電体材料と前記第二の透明層の透明導電体材料とが少なくとも部分的に重なるように見える、少なくとも一つの交差区域（５１、５２．．．５ｎ）と、
前記第一の透明層の透明導電体材料と前記第二の透明層の透明導電体材料とが重なるように見えない少なくとも一つの重ならない区域（８１、８２．．．８ｎ）と、
を形成するように、垂直方向で一方が他方の上に配置され、
前記少なくとも一つの交差区域における前記第一の透明層と前記第二の透明層との少なくとも一方の前記透明導電体材料の被覆率は、前記第一の透明層と前記第二の透明層との前記透明導電体材料を通って透過する可視光の合計百分率が、前記観測領域にわたって実質的に同じであるように低減される、
方法。
【請求項１５】
前記透明導電体材料の被覆率を低減するステップは、レーザープロセス、エッチングプロセス、直接印刷、機械的プロセス、バーニングプロセス、またはそれらのいずれかの組み合わせを用いることによって実行される、請求項１４に記載の方法。
【請求項１６】
前記透明導電体材料の被覆率を低減するステップは、前記交差区域において前記透明導電体材料中に少なくとも一つの点または少なくとも一本の線を形成することによって、または前記交差区域において前記透明導電体材料の厚さを減少させることによって実行される、請求項１４〜１５のいずれか一項に記載の方法。
【請求項１７】
請求項１〜１２のいずれか一項に記載の透明導電性フィルムまたは請求項１３に記載のタッチ検知フィルム（１）を含むタッチ検出装置。
【請求項１８】
光電池システム、暖房利用、電流導体、ディスプレイシステム、ディスプレイ電極、照明システム、電灯スイッチまたは調光フィルムにおける請求項１〜１３のいずれか一項に記載の透明導電性フィルムの使用。
【請求項１９】
光電池システム、暖房利用、電流導体、ディスプレイシステム、ディスプレイ電極、照明システム、電灯スイッチまたは調光フィルムにおける請求項１７に記載のタッチ検出装置の使用。
【発明の詳細な説明】
【技術分野】
【０００１】
本出願は、透明導電性フィルムに関する。本出願は、さらに、透明導電性フィルムを製造するための方法に関する。本出願は、さらに、タッチ検出装置およびさまざまな使用に関する。
【背景技術】
【０００２】
今日では、多くの場合に従来の機械式ボタンの代わりに、タッチ検知フィルムを利用したさまざまなタイプのタッチ検出装置によって、さまざまな種類の電気装置用のユーザーインターフェースが実現されている。たとえば携帯電話、携帯型コンピュータおよび同様な装置のさまざまな種類のタッチパッドおよびタッチスクリーンが、これらのものの周知の例である。タッチ検知フィルムを利用したタッチ検出装置は、機能的により多彩、より小型、より安価、より軽量であり、視覚的により魅力的でもある装置を見いだそうと試みる設計者に自由も提供する。
【０００３】
そのようなタッチ検出装置において鍵となる要素が、一個以上の検出電極として使用されるように構成された一層以上の導電層を含むタッチ検知フィルムである。この種のフィルムの一般的な動作原理は、たとえば指先またはなんらかの特定のポインター装置によるユーザーのタッチが、タッチ検知フィルムが接続されている電気測定回路の電気特性を変化させることである。実際の測定原理は、たとえば抵抗型または容量型であってよい。
【０００４】
タッチスクリーンにおいては、タッチ検出能力に加えてタッチ検知フィルムは、電子装置のディスプレイの上でのフィルムの使用を可能にするために、すなわちタッチ検知フィルムを通して装置のディスプレイを見ることを可能にするために、光学的に透明でなければならない。その上、透明性は、タッチ検知フィルム可視性の観点からも重要である。たとえばＬＣＤ（Ｌｉｑｕｉｄ  Ｃｒｙｓｔａｌ  Ｄｉｓｐｌａｙ）（液晶ディスプレイ）、ＯＬＥＤ（Ｏｒｇａｎｉｃ  Ｌｉｇｈｔ  Ｅｍｉｔｔｉｎｇ  Ｄｉｏｄｅ）（有機発光ダイオード）ディスプレイまたは電子ペーパー（ｅ−ｐａｐｅｒ：ｅｌｅｃｔｒｏｎｉｃ  ｐａｐｅｒ）ディスプレイのユーザーにとってタッチ検知フィルムの可視性は、ユーザー経験をひどく悪化させる。これまでのところ、ＩＴＯ（酸化インジウムスズ）のような透明導電性酸化物が、タッチ検知フィルムにおける導電層材料の最も普通のグループを形成している。しかし、可視性の観点から、それらのものは理想的な解決策からほど遠い。たとえばＩＴＯの高い屈折率のために、パターン形成された検出電極が眼に見える。
【０００５】
ネットワーク型ナノ構造体で形成されるかまたはネットワーク型ナノ構造体を含む層の中で、タッチ検知フィルムにおける一つの有望な新しい手法が見いだされる。適当な導電性性能に加えて、たとえば管状の炭素分子の側面に共有結合しているフラーレン分子またはフラーレン様分子を有するカーボンナノチューブ（ＣＮＴ）またはカーボンナノバッド（ナノバッド（ＮＡＮＯＢＵＤ（登録商標）は、Ｃａｎａｔｕ  Ｏｙの登録商標である）のネットワークからなる層は、たとえばＩＴＯと比較して優れた柔軟性、機械的強度および安定性を有することができる。
【０００６】
しかし、ネットワーク型ナノ構造体の使用をもってしても、眼に見えるパターンを形成する電極は、問題となることがある。従って、本発明者らは、増大した透明性を有する透明導電性フィルムの必要を認識した。
【発明の概要】
【発明が解決しようとする課題】
【０００７】
目的は、新しいタイプの透明導電性フィルムを提供することである。さらに、目的は、透明導電性フィルムを製造するための方法を提供することである。さらに、目的は、タッチ検出装置を提供することである。さらに、目的は、新しい使用を提供することである。
【課題を解決するための手段】
【０００８】
本透明導電性フィルムは、請求項１に提示されているものを特徴とする。
本方法は、請求項１４に提示されているものを特徴とする。
本タッチ検出装置は、請求項１７に提示されているものを特徴とする。
本使用は、請求項１８または請求項１９に提示されているものを特徴とする。
【０００９】
本方法、本透明導電性フィルムおよび本タッチ検出装置のより一層の理解を提供するために含まれ、本明細書の一部を構成する添付の図面は、実施形態を例示し、記載と一緒になって上記事項の原理を説明する助けとなる。
【図面の簡単な説明】
【００１０】
【図１】一実施形態による透明導電性フィルムの正面図を概略的に例示している。
【図２】一実施形態による透明導電性フィルムの断面図を概略的に例示している。
【図３】図３ａ〜図３ｂは、一実施形態による透明導電性フィルムの断面図を概略的に例示している。
【図４】図４ａは、一実施形態による透明導電性フィルムの断面図を概略的に例示し、図４ｂは、図４ａに例示される透明導電性フィルムの正面図を概略的に例示している。
【図５】図５ａは、一実施形態による、第一の電極の第一のパターンを有するようにパターン形成される透明導電体材料を含む第一の透明層を例示し、図５ｂは、一実施形態による、第二の電極の第二のパターンと第二のパッシブギャップ区域とを有するようにパターン形成される透明導電体材料を含む第二の透明層を例示し、図５ｃは、図５ａの透明導電体材料を含む第一の透明層と図５ｂの導電体材料を含む第二の透明層とが、一実施形態によって一方が他方の上に配置されるときの状況を例示している。
【図６】図６ａ〜図６ｃは、第一のギャップ区域と第二のギャップ区域との透明導電体材料の被覆率の段階的な減少を概略的に例示している。
【図７】図７ａは、一実施形態による透明導電性フィルムの正面図を概略的に例示し、図７ｂは、図７ａに例示される透明導電性フィルムの断面図を概略的に例示している。
【発明を実施するための形態】
【００１１】
本出願は、観測領域を有する透明導電性フィルムであって、透明導電性フィルムは、
第一の側と第一の側の反対側の第二の側とを有する少なくとも一枚の透明ベースフィルムと、
観測領域において少なくとも一枚の透明ベースフィルム上に提供された、
−第一の電極の第一のパターンと、任意選択として、第一の電極の第一のパターンから分離された少なくとも一つの第一のパッシブギャップ区域とを有するようにパターン形成される透明導電体材料を含む第一の透明層と、
−第二の電極の第二のパターンと、任意選択として、第二の電極の第二のパターンから分離された少なくとも一つの第二のパッシブギャップ区域とを有するようにパターン形成される透明導電体材料とを含む第二の透明層と、
を含み、
第一の透明層と第二の透明層とは、第一の透明層の透明導電体材料と第二の透明層の透明導電体材料とが、
−基本的に垂直な方向から少なくとも一枚の透明ベースフィルムの第一の側または第二の側の方を見たとき、第一の透明層の透明導電体材料と第二の透明層の透明導電体材料とが少なくとも部分的に重なるように見える少なくとも一つの交差区域と、
−第一の透明層の透明導電体材料と第二の透明層の透明導電体材料とが重なるように見えない少なくとも一つの重ならない区域と、
を形成するように垂直方向で一方が他方の上に配置され、
第一の透明層と第二の透明層との透明導電体材料を通って透過する可視光の合計百分率は、観測領域にわたって実質的に同じである
透明導電性フィルムに関する。
【００１２】
本出願は、観測領域を有する透明導電性フィルムであって、透明導電性フィルムは、
第一の側と第一の側の反対側の第二の側とを有する少なくとも一枚の透明ベースフィルムと、
観測領域において、少なくとも一枚の透明ベースフィルム上に提供された、
−第一の電極の第一のパターンと、任意選択として、第一の電極の第一のパターンから分離された少なくとも一つの第一のパッシブギャップ区域とを有するようにパターン形成される透明導電体材料を含む第一の透明層と、
−第二の電極の第二のパターンと、任意選択として、第二の電極の第二のパターンから分離された少なくとも一つの第二のパッシブギャップ区域とを有するようにパターン形成される透明導電体材料を含む第二の透明層と、
を含み、
第一の透明層と第二の透明層とは、第一の透明層の透明導電体材料と第二の透明層の透明導電体材料とが、
−基本的に垂直な方向から少なくとも一枚の透明ベースフィルムの第一の側または第二の側の方を見たとき、第一の透明層の透明導電体材料と第二の透明層の透明導電体材料とが少なくとも部分的に重なるように見える少なくとも一つの交差区域と、
−第一の透明層の透明導電体材料と第二の透明層の透明導電体材料とが重なるように見えない少なくとも一つの重ならない区域と、
を形成するように垂直方向で一方が他方の上に配置され、
少なくとも一つの交差区域における第一の透明層と第二の透明層との少なくとも一方の透明導電体材料の被覆率は、第一の透明層の透明導電体材料と第二の透明層の透明導電体材料とが重なるように見えない少なくとも一つの重ならない区域における第一の透明層または第二の透明層の透明導電体材料の被覆率より低くなるように低減され、その結果、第一の透明層と第二の透明層との透明導電体材料を通って透過する可視光の合計百分率は、観測領域にわたって実質的に同じである
透明導電性フィルムに関する。
【００１３】
一実施形態において、第一の透明層と第二の透明層との透明導電体材料を通って透過する可視光の合計百分率は、透明導電性フィルム全体にわたって実質的に同じに保たれる。
【００１４】
本出願は、さらに、観測領域を有する透明導電性フィルムを製造するための方法であって、
第一の側と第一の側の反対側の第二の側とを有する少なくとも一枚の透明ベースフィルムを提供するステップと、
観測領域において、少なくとも一枚の透明ベースフィルム上に
−第一の電極の第一のパターンと、任意選択として、第一の電極の第一のパターンから分離された少なくとも一つの第一のパッシブギャップ区域とを有するようにパターン形成される透明導電体材料を含む第一の透明層と、
−第二の電極の第二のパターンと、任意選択として、第二の電極の第二のパターンから分離された少なくとも一つの第二のパッシブギャップ区域とを有するようにパターン形成される透明導電体材料を含む第二の透明層と、
を提供するステップと
を含み、
第一の透明層と第二の透明層とは、第一の透明層の透明導電体材料と第二の透明層の透明導電体材料とが、
−基本的に垂直な方向から少なくとも一枚の透明ベースフィルムの第一の側または第二の側の方を見たとき、第一の透明層の透明導電体材料と第二の透明層の透明導電体材料とが少なくとも部分的に重なるように見える少なくとも一つの交差区域と、
−第一の透明層の透明導電体材料と第二の透明層の透明導電体材料とが重なるように見えない少なくとも一つの重ならない区域と、
を形成するように垂直方向で一方が他方の上に配置され、
少なくとも一つの交差区域における第一の透明層と第二の透明層との少なくとも一方の透明導電体材料の被覆率は、第一の透明層と第二の透明層との透明導電体材料を通って透過する可視光の合計百分率が観測領域にわたって実質的に同じであるように調節される
方法に関する。
【００１５】
本出願は、さらに、観測領域を有する透明導電性フィルムを製造するための方法であって、
第一の側と第一の側の反対側の第二の側とを有する少なくとも一枚の透明ベースフィルムを提供するステップと、
観測領域において、少なくとも一枚の透明ベースフィル上に
−第一の電極の第一のパターンと、任意選択として、第一の電極の第一のパターンから分離された少なくとも一つの第一のパッシブギャップ区域とを有するようにパターン形成される透明導電体材料を含む第一の透明層と、
−第二の電極の第二のパターンと、任意選択として、第二の電極の第二のパターンから分離された少なくとも一つの第二のパッシブギャップ区域を有するようにパターン形成される透明導電体材料を含む第二の透明層と、
を提供するステップと
を含み、
第一の透明層と第二の透明層とは、第一の透明層の透明導電体材料と第二の透明層の透明導電体材料とが、
−基本的に垂直な方向から少なくとも一枚の透明ベースフィルムの第一の側または第二の側の方を見たとき、第一の透明層の透明導電体材料と第二の透明層の透明導電体材料とが少なくとも部分的に重なるように見える少なくとも一つの交差区域と、
−第一の透明層の透明導電体材料と第二の透明層の透明導電体材料とが重なるように見えない少なくとも一つの重ならない区域と、
を形成するように、垂直方向で一方が他方の上に配置され、
少なくとも一つの交差区域における第一の透明層と第二の透明層との少なくとも一方の透明導電体材料の被覆率は、第一の透明層と第二の透明層との透明導電体材料を通って透過する可視光の合計百分率が、観測領域にわたって実質的に同じであるように低減される
方法に関する。
【００１６】
一実施形態において、本方法は、透明導電性フィルムの透明性を増大させるために実行される。
【００１７】
一実施形態において、少なくとも一つの交差区域における第一の透明層と第二の透明層との少なくとも一方の透明導電体材料の被覆率は、第一の透明層と第二の透明層との透明導電体材料を通って透過する可視光の合計百分率が観測領域にわたって実質的に同じであるように低減される。
【００１８】
一実施形態において、少なくとも一つの交差区域における第一の透明層と第二の透明層との少なくとも一方の透明導電体材料の被覆率は、少なくとも一つの重ならない区域における前記透明層の透明導電体材料の被覆率と比較して低減される。すなわち、少なくとも一つの交差区域における透明層の透明導電体材料の被覆率は、少なくとも一つの重ならない区域における同じ透明層の透明導電体材料の被覆率と比較して低減されることがある。
【００１９】
本出願は、さらに、本出願において定義される透明導電性フィルムまたは本出願において定義されるタッチ検知フィルムを含むタッチ検出装置に関する。
【００２０】
本出願は、さらに、光電池システム、暖房利用、電流導体、ディスプレイシステム、ディスプレイ電極、照明システム、電灯スイッチまたは調光フィルムにおける、本出願において定義される透明導電性フィルムの使用に関する。
【００２１】
本出願は、さらに、光電池システム、暖房利用、電流導体、ディスプレイシステム、ディスプレイ電極、照明システム、電灯スイッチまたは調光フィルムにおける、本出願において定義されるタッチ検出装置の使用に関する。
【００２２】
表現「観測領域」は、本明細書において、特に断らない限り、透明導電性フィルムの面内方向において観測されるかまたは定義される、予め定められた区域または領域を指すと理解するべきである。一実施形態において、観測領域は、透明導電性フィルムの面積の少なくとも５０％、または少なくとも６０％、または少なくとも７０％、または少なくとも８０％、または少なくとも９０％を包含する。
【００２３】
本明細書において、透過する可視光の合計百分率が、「実質的に同じ」であるという表現は、特に断らない限り、透過する可視光の合計百分率が、観測領域全体で正確に同じでないことがあり、観測領域にわたって透過する可視光の合計百分率のなんらかの変動が起こり得ることを意味すると理解するべきである。一実施形態において、第一の透明層と第二の透明層との透明導電体材料を通って透過する可視光の合計百分率は、観測領域にわたってピーク間で多くとも５百分率単位、または多くとも３百分率単位、または０．０５〜５百分率単位、または０．０５〜３百分率単位、または０．０５〜１百分率単位で変動する。好ましくは、交差区域において透明導電体材料を通って透過する可視光の百分率の間には、重なっていない区域と比較して小さな偏移しかあり得ない。しかし、電極のパターンの中および／または第一の透明層および／または第二の透明層の少なくとも一つのパッシブギャップ区域の中に、透過する可視光の合計百分率が上記変動範囲より多く偏移することがある小さなスリットがあり得る。ただし、これらのスリットは、問題の透明導電性フィルムの利用の通常の観測距離において透過率の偏移が人間の眼に見えないような寸法にされる。そのような観測距離は、さまざまな用途においてさまざまである。一実施形態において、観測距離は、１０〜１００ｃｍ、または２０〜１００ｃｍまたは３０〜１００ｃｍまたは５０〜１００ｃｍ、または６０〜３００ｃｍである。言い換えると、これらのスリットは、人の眼の平均解像度未満の寸法を有することがある。一実施形態において、そのようなスリットの幅は、２〜１０００μｍ、または２〜５００μｍ、または２〜５０μｍ、または５０〜５００μｍである。一実施形態において、第一の透明層および／または第二の透明層の透明導電体材料は、２〜１０００μｍ、または２〜５００μｍ、または２〜５０μｍ、または５０〜５００μｍの幅を有する１つ以上のスリットを含む。
【００２４】
ウェアラブル装置、携帯電話、タブレット、ラップトップ、自動車情報ディスプレイ、またはダッシュボードなどの１５インチ未満の対角線の小形器具用のタッチセンサー、ディスプレイ電極、または電灯スイッチのような用途において、観測距離は、たとえば２０〜１００ｃｍのことがある。大面積モニタまたはテレビジョン用のタッチセンサー、ディスプレイ電極、または電灯スイッチのような用途において、観測距離は、たとえば６０〜３００ｃｍのことがある。たとえばウインドウまたはフロントガラス上のタッチセンサー、ディスプレイ電極、電灯スイッチ、電流導体またはヒーター素子のような用途において、観測距離は、たとえば３０〜１００ｃｍのことがある。
【００２５】
表現「交差区域」は、特に断らない限り、本明細書において、基本的に垂直な方向から少なくとも一枚の透明ベースフィルムの第一の側または第二の面の方を見たとき、第一の透明層の透明導電体材料と第二の透明層の透明導電体材料とが少なくとも部分的に重なるように見える区域を意味すると理解するべきである。すなわち、第一の透明層と第二の透明層とが垂直方向で一方が他方の上に配置されるとき、第一の透明層の透明導電体材料と第二の透明層の透明導電体材料とは、少なくとも一つの交差区域を形成することがある。
【００２６】
表現「重なっていない区域」は、本明細書において、特に断らない限り、基本的に垂直な方向から少なくとも一枚の透明ベースフィルムの第一の側または第二の側の方を見たとき、第一の透明層の透明導電体材料と第二の透明層の透明導電体材料とが重なるように見えない区域を意味すると理解するべきである。すなわち、重なっていない区域において、基本的に垂直な方向から少なくとも一枚の透明ベースフィルムの第一の側または第二の面の方を見たとき、透明導電体材料は、第一の透明層の中または第二の透明層の中に存在することがあるが、両方の中には存在しない。
【００２７】
本明細書において、透明導電体材料を含む透明層は、透明ベースフィルム「上に（ｏｎ）」提供されるという表現は、特に断らない限り、透明層は、透明ベースフィルム上に（ｏｎ）または透明ベースフィルムの上に（ｕｐｏｎ）あるように提供されるかまたは形成されるか、あるいは少なくとも部分的にその中に埋め込まれることを意味すると理解するべきである。透明ベースフィルムは、透明導電体材料を含む透明層のためのキャリヤーまたは支持構造体として使用されることがある。一実施形態において、透明ベースフィルムは、第一の透明層のためのおよび／または第二の透明層のためのキャリヤーまたは支持構造体として使用される。
【００２８】
本明細書において、用語「を含む」は、その後に続く（ｆｏｌｌｏｗｅｄ  ｔｈｅｒｅａｆｔｅｒ）構成要素（複数可）または行為（複数可）を含み、一つ以上の追加の構成要素または行為の存在を除外しないことを意味するために用いられる。さらに、「一つの（ａｎ）」品目への参照は、それらの品目の１つ以上を指すと理解される。
【００２９】
本明細書において、表現「フィルム」は、特に断らない限り、その厚さよりかなり大きなその面内方向寸法を有する構造体を指すと理解するべきである。その意味において、フィルムは「薄い」構造体であるとみなされることがある。
【００３０】
一実施形態において、透明ベースフィルムの、その面内方向寸法によって形成される二つの側は、第一の側と第二の側とを形成する。
【００３１】
一実施形態において、透明導電性フィルムの厚さは、０．１μｍ〜５ｍｍ、または２０〜５００μｍである。
【００３２】
本明細書において、表現「電極」は、特に断らない限り、電圧および／または電流を供給および／または輸送することができる電気伝導体を指すと理解するべきである。
【００３３】
本明細書において、表現「透明な」は、特に断らない限り、問題の関連波長範囲における導電性フィルムならびにその一部および材料の光学的な透明性を指すと理解するべきである。言い換えると、「透明な」材料または構造体は、そのような関連波長において光または全般としての電磁放射がそのような材料または構造体を通って伝播することを可能にする材料または構造体を指す。関連波長帯範囲は、透明導電性フィルムが用いられる用途に依存することがある。一実施形態において、関連波長範囲は、約３９０から約７００ｎｍの可視波長帯である。
【００３４】
さらに、導電性フィルムおよびその一部分の透明性は、主として導電性フィルムの厚さ方向における透明性を指し、その結果、「透明である」ために、導電性フィルムまたはその一部分に入射する光エネルギーの十分な割合が、それを通って厚み方向に伝搬しなければならない。そのような十分な割合は、導電性フィルムが用いられる用途に依存することがある。一実施形態において、そのような割合は、透明導電体材料が存在する位置において透明導電性フィルムに垂直に入射する光のエネルギーの２０〜９９．９９％である。一実施形態において、前記透過率は、２０％以上、または３０％以上、または４０％以上、または５０％以上、または６０％以上、または７０％以上、または８０％以上、９０％以上である。透過率は、規格ＪＩＳ−Ｋ７３６１、ＡＳＴＭ  Ｄ１００３に従って測定されることがある。透明導電性フィルムまたはその一部分を通って伝搬または透過する可視光の割合は、可視光の伝達を変化させる透明導電性フィルムの能力、またはたとえばその中に用いられる透明導電体材料のタイプに依存することがある。光透過率における変化は、たとえば吸収、散乱および／または反射によって引き起こされる損失、あるいは色もしくは清澄性の変化など光透過率におけるなんらかの他の変化の結果のことがある。
【００３５】
一実施形態において、少なくとも一つの交差区域における第一の透明層と第二の透明層との少なくとも一方の透明導電体材料の被覆率は、第一の透明層と第二の透明層との透明導電体材料を通って透過する可視光の合計百分率が、観測領域にわたって実質的に同じであるように調節される。
【００３６】
一実施形態において、第一の透明層および／または第二の透明層の透明導電体材料の被覆率は、少なくとも一つの交差区域における透明導電体材料の予め定められた量を低減することによって調節される。
【００３７】
一実施形態において、少なくとも一つの交差区域における第一の透明層と第二の透明層との少なくとも一方の透明導電体材料の被覆率は、第一の透明層の透明導電体材料と第二の透明層の透明導電体材料とが重なるように見えない少なくとも一つの重ならない区域における第一の透明層または第二の透明層の透明導電体材料の被覆率より低くなるように低減される。
【００３８】
一実施形態において、第一の透明層と第二の透明層との透明導電体材料の合計厚さは、観測領域にわたって実質的に均一である。
【００３９】
本発明者らは、交差区域において第一の透明層と第二の透明層との少なくとも一方の透明導電体材料の被覆率を低減すると、透明導電性フィルムのユーザーにとっての外観が改善され得ることを見いだした。交差区域において第一の透明層と第二の透明層との少なくとも一方の透明導電体材料の被覆率を低減する一方で、実質的に均一な外観を有する透明導電性フィルムを提供することができる。第一の透明層と第二の透明層との透明導電体材料が少なくとも部分的に重なるように見える部分において透明導電体材料の被覆率を低減する一方で、透明導電性フィルムを通る可視光の透過性が増大することがある。
【００４０】
一実施形態において、基本的に垂直な方向から少なくとも一枚の透明ベースフィルムの第一の側または第二の側の方を見たとき、第一の電極と第二の電極とが重なるように見える少なくとも一つの交差区域を第一の電極と第二の電極とが形成するように、第一の透明層と第二の透明層とは、垂直方向で一方が他方の上に配置される。
【００４１】
一実施形態において、交差区域の１つ以上において、その交差区域を形成する第一の電極と第二の電極との少なくとも一方の透明導電体材料の被覆率は、交差区域の外の前記電極の透明導電体材料の被覆率より低くなるように低減される。
【００４２】
一実施形態において、少なくとも一つの交差区域は、基本的に垂直な方向から少なくとも一枚の透明ベースフィルムの第一の側または第二の側の方を見たとき第一の電極と第二の電極とが互いに交差するように見える少なくとも一つの交差点を含む。一実施形態において、少なくとも一つの交差区域は、基本的に垂直な方向から少なくとも一枚の透明ベースフィルムの第一の側または第二の側の方を見たとき第一の電極と第二の電極とが互いに交差するように見え、少なくとも一つの交差点において、交差点を形成する第一の電極と第二の電極との少なくとも一方の透明導電体材料の被覆率は、交差点の外の前記電極の透明導電体材料の被覆率より低くなるように低減される、少なくとも一つの交差点を含む。
【００４３】
一実施形態において、第一の透明層は、少なくとも一つの第一のパッシブギャップ区域を有するようにパターン形成される透明導電体材料を含む。一実施形態において、第二の透明層は、第二のパッシブギャップ区域を有するようにパターン形成される透明導電体材料を含む。
【００４４】
一実施形態において、第一の透明層と第二の透明層とは、第一の透明層の透明導電体材料と第二の透明層の透明導電体材料とが、以下
−第一の電極と第二の電極とが少なくとも部分的に重なるように見える少なくとも一つの交差区域、
−第一の電極と第二のパッシブギャップ区域とが少なくとも部分的に重なるように見える少なくとも一つの交差区域、
−第一のパッシブギャップ区域と第二のパッシブギャップ区域とが少なくとも部分的に重なるように見える少なくとも一つの交差区域、
−第二の電極と第一のパッシブギャップ区域とが少なくとも部分的に重なるように見える少なくとも一つの交差区域
のうち少なくとも一つを形成するように垂直方向で一方が他方の上に配置される。
【００４５】
多くの場合、透明導電性フィルムを製造するとき、たとえば、透明層の第一の電極の第一のパターンと第二の電極の第二のパターンとは、透明導電体材料、たとえばカーボンナノチューブもしくはカーボンナノバッドまたは光をある程度吸収または屈折する他の導電体材料を使用するとき、肉眼で視覚的に見えることがある予め定められた数の交差点を形成する。さらに、透明層の第一の電極の第一のパターンと第二の電極の第二のパターンとは、第一の透明層と第二の透明層とが、たとえばそれらを透明ベースフィルム（複数可）と一緒に貼り合せるためのプロセス中に、垂直方向で一方が他方の上に配置されるとき、予め定められた数の交差区域も形成することがある。ボンディングまたはラミネーションプロセスにおけるプロセス変動に起因して、第一の電極の第一のパターンと第二の電極の第二のパターンとは、第一の電極の第一のパターンと第二の電極の第二のパターンとが互いに交差するように見える交差点においてだけでなく、電極パターンの他の部分においてもわずかに重なるように見えることがある。本発明者らは、驚くべきことに、本出願中に記載される方法を使用するとき、ただ一つの透明導電体材料の層で作られている外観を有する透明導電性フィルムを製造することができることを見いだした。本透明導電性フィルムは、基本的に、たとえば電極または他の部品によって形成されたパターニングが観る者の肉眼で視覚的に見ることが実質的にできないという追加の有用性を有する。本発明者らは、さらに、異なる層の電極が交差点において互いに交差するように見えるという事実によって引き起こされる視覚的な欠陥を補償するために通常は必要なあらゆる追加の充填材料を、本出願において記載される方法で製造された透明導電性フィルムから除外することができることを見いだした。
【００４６】
一実施形態において、透明導電性フィルムは、異なる層の透明導電体材料が交差区域において重なるように見えるという事実によって引き起こされる視覚的な欠陥を補償するどのような追加の充填剤も欠いている。一実施形態において、透明導電性フィルムは、異なる層の電極が交差点において互いに交差するように見えるという事実によって引き起こされる視覚的な欠陥を補償するどのような追加の充填剤も欠いている。
【００４７】
一実施形態において、透明導電体材料の被覆率は、交差区域の一つ以上において低減される。一実施形態において、透明導電体材料の被覆率は、交差区域のすべてにおいて低減される。
【００４８】
「パッシブギャップ区域」は、電気的に接続されていない透明層の区域を指す。パッシブギャップ区域は、透明層を外部電源に接続するためのどのような接点装置にも電気的に接続されていない。従って、そのようなパッシブギャップ区域は、電気的な観点では、透明導電性フィルムの電気的な動作において参加しないという意味で、「パッシブ」構造体である。
【００４９】
パッシブギャップ区域は、電極のパターンから分離されることがある。たとえば電極のパターンとパッシブギャップ区域との間に数１０マイクロメートル程度の幅を有する小さなスロットしか存在しないことがある。
【００５０】
一実施形態において、第一の透明層は、少なくとも一つの第一のパッシブギャップ区域を有するようにパターン形成された透明導電体材料を含むが、第二の透明層は、第二のパッシブギャップ区域を有しない、あるいはその逆である。
【００５１】
一実施形態において、第一の透明層は、少なくとも一つの第一のパッシブギャップ区域を有するようにパターン形成された透明導電体材料を含み、第二の透明層は、少なくとも一つの第二のパッシブギャップ区域を有するようにパターン形成された透明導電体材料を含み、観測領域内で少なくとも一つの第一のパッシブギャップ区域と少なくとも一つの第二のパッシブギャップ区域とは重なるように見えない。
【００５２】
一実施形態において、第一の透明層は、少なくとも一つの第一のパッシブギャップ区域を有するようにパターン形成された透明導電体材料を含み、第二の透明層は、少なくとも一つの第二のパッシブギャップ区域を有するようにパターン形成された透明導電体材料を含み、基本的に垂直な方向から少なくとも一枚の透明ベースフィルムの第一の側または第二の側を見たとき、少なくとも一つの交差区域において、少なくとも一つの第一のパッシブギャップ区域と少なくとも一つの第二のパッシブギャップ区域とは、少なくとも部分的に重なるように見える。
【００５３】
一実施形態において、第一のパッシブギャップ区域および／または第二のパッシブギャップ区域の透明導電体材料の被覆率は、少なくとも一つの交差区域において、予め定められた量の透明導電体材料を低減することによって調節される。
【００５４】
一実施形態において、第一のパッシブギャップ区域は、第一の端と第一の端の反対側の第二の端とを有し、第二のパッシブギャップ区域は、第一の辺と第一の辺の反対側の第二の辺とを有し、透明導電体材料の被覆率は、第一のギャップ区域の第一の端から第二の端へ徐々にまたは連続的に低減されるが、透明導電体材料の被覆率は、第二のギャップ区域の第二の端から第一の端へ逆向きに徐々にまたは連続的に低減されるか、あるいはその逆である。
【００５５】
一実施形態において、第一のパッシブギャップ区域の透明導電体材料を通って透過する可視光の百分率は、第一の端から第二の端へ約１００％から約Ｘ％の間で、または約１００％から約Ｘ％へ変化し、一方第二のパッシブギャップ区域の透明導電体材料を通って透過する可視光の百分率は、第一の端から第二の端へ約Ｘ％から約１００％の間で、または約Ｘ％から約１００％へ変化するか、あるいはその逆であり、Ｘは、交差区域の外側の第一の透明層または第二の透明層の透明導電体材料を通って透過する可視光の百分率である。
【００５６】
一実施形態において、少なくとも一つの交差区域において、透明導電体材料の被覆率は、第一の透明層から徐々にまたは連続的に低減され、一方透明導電体材料の被覆率は、第二の透明層から逆向きで徐々にまたは連続的に低減されるか、あるいはその逆である。
【００５７】
一実施形態において、一つの透明層の透明導電体材料の被覆率は、交差区域において前記透明層の透明導電体材料を通って透過する可視光の百分率が、約１００から約Ｘ％の間または約１００から約Ｘ％であるように、交差区域において低減され、Ｘ％は、交差区域の外側で前記透明層の透明導電体材料を通って透過する可視光の百分率である。一実施形態において、一つの透明層の透明導電体材料の被覆率は、交差区域において前記透明層の透明導電体材料を通って透過する可視光の百分率が、交差区域の外側で前記透明層の透明導電体材料を通って透過する可視光の百分率から約１００％へ徐々に増加するように、交差区域において低減される。
【００５８】
第一の電極の第一のパターンと第二の電極の第二のパターンとが、交差点以外の電極パターンの他の部分においてもわずかに重なるように見えることがある、たとえばラミネーションプロセス中のプロセス変動の結果として形成されることがある交差区域において透明導電体材料の被覆率を徐々に低減することにより、そのような重なりを肉眼で認識することができる者の可能性を低減するという追加の有用性がある。
【００５９】
一実施形態において、交差区域における一つの透明層の透明導電体材料の被覆率は、交差区域において前記透明層の透明導電体材料を通って透過する可視光の百分率が、交差区域の外側で前記透明層の透明導電体材料を通って透過する可視光の百分率より０．１〜５０百分率単位、または０．１〜２０百分率単位、または１〜２０百分率単位高くなるように低減される。一実施形態において、交差点における一つの透明層の透明導電体材料の被覆率は、交差点において前記透明層の透明導電体材料を通って透過する可視光の百分率が、交差点の外側で前記透明層の透明導電体材料を通って透過する可視光の百分率より０．１〜５０百分率単位、または０．１〜２０百分率単位、または１〜２０百分率単位高くなるように低減される。
【００６０】
一実施形態において、導電性フィルムの少なくとも一枚の透明ベースフィルムの少なくとも一枚が誘電体材料でできているかまたは導電性フィルムの透明ベースフィルムのすべてが誘電体材料でできている。一実施形態において、透明ベースフィルムは、透明ガラス材料またはプラスチック材料で形成される。透明ベースフィルムを形成するために用いられる材料は、透明導電体材料を含む透明層のための基質として使用されるのに適したものであるべきである。
【００６１】
一実施形態において、透明ベースフィルムの材料は、ソーダライムガラス、アルミノシリケートガラス、ボロシリケートガラスおよびそれらのいずれかの組合せからなる群から選択される。一実施形態において、透明ベースフィルムの材料は、ポリエチレンテレフタレート（ＰＥＴ）、ポリカーボネート（ＰＣ）、ポリメタクリル酸メチル（ＰＭＭＡ）、環状オレフィンコポリマー（ＣＯＰ）、トリアセテート（ＴＡＣ）、環状オレフィンコポリマー（ＣＯＣ）、ポリ（塩化ビニル）（ＰＶＣ）、ポリ（エチレン２，６−ナフタレート（ＰＥＮ）、ポリイミド（ＰＩ）、ポリプロピレン（ＰＰ）、ポリエチレン（ＰＥ）およびそれらのいずれかの組み合わせからなる群から選択される。しかし、透明ベースフィルムの材料は、これらの例に限定されない。
【００６２】
一実施形態において、透明ベースフィルムは、１〜２０００μｍ、または１０〜１０００μｍ、または３０〜５００μｍ、または５０〜３００μｍの厚さを有する。しかし、透明ベースフィルムは、いくつかの用途においてもっと厚いこともある。
【００６３】
一実施形態において、第一の電極の第一のパターンは、第二の電極の第二のパターンと同様なパターンである。一実施形態において、第一の電極の第一のパターンは、第二の電極の第二のパターンと異なるパターンである。一実施形態において、第一の電極の第一のパターンがＸ電極であるが第二の電極の第二のパターンがＹ電極であるか、あるいはその逆である。
【００６４】
第一の電極の第一のパターンと第二の電極の第二のパターンとは、第一の透明層と第二の透明層とが垂直方向で一方が他方の上に配置されるとき、特定の用途に適したどのようなパターンも形成することがある。一実施形態において、第一の電極の第一のパターンと第二の電極の第二のパターンとは、第一の透明層と第二の透明層とが垂直方向で一方が他方の上に配置されるとき、ダイヤモンドパターン、雪の結晶パターン、または格子の形のパターンを形成することがある。一実施形態において、第一の電極の第一のパターンと第二の電極の第二のパターンとは、第一の透明層と第二の透明層とが垂直方向で一方が他方の上に配置されるとき、ダイヤモンドパターンを形成することがある。
【００６５】
一実施形態において、透明導電性フィルムは、少なくとも一枚の透明ベースフィルムを含む。一実施形態において、透明導電性フィルムは、一枚の透明ベースフィルムを含む。一実施形態において、透明導電性フィルムは、第一の透明ベースフィルムおよび／または第二の透明ベースフィルムを含む。一実施形態において、透明導電性フィルムは、第一の透明ベースフィルムを含む。一実施形態において、透明導電性フィルムは、第一の透明ベースフィルムと第二の透明ベースフィルムとを含む。一実施形態において、透明導電性フィルムは、複数の透明ベースフィルムを含む。
【００６６】
一実施形態において、少なくとも一枚の透明ベースフィルムは、一枚の透明ベースフィルムを含むかまたは一枚の透明ベースフィルムからなる。一実施形態において、少なくとも一枚の透明ベースフィルムは、第一の透明ベースフィルムおよび／または第二の透明ベースフィルムを含むかあるいは第一の透明ベースフィルムおよび／または第二の透明ベースフィルムからなる。一実施形態において、少なくとも一枚の透明ベースフィルムは、第一の透明ベースフィルムを含むかまたは第一の透明ベースフィルムからなる。一実施形態において、少なくとも一枚の透明ベースフィルムは、第一の透明ベースフィルムと第二の透明ベースフィルムとを含むかまたは第一の透明ベースフィルムと第二の透明ベースフィルムとからなる。一実施形態において、少なくとも一枚の透明ベースフィルムは、複数の透明ベースフィルムを含むかまたは複数の透明ベースフィルムからなる。
【００６７】
一実施形態において、第一の透明層は、透明ベースフィルムの第一の側に提供され、第二の透明層は、透明ベースフィルムの第二の側に提供される。
【００６８】
一実施形態において、第一の透明層は、第一の透明ベースフィルム上に提供され、第二の透明層は、第二の透明ベースフィルム上に提供され、第一の透明層と第二の透明層とは、第一の透明ベースフィルムまたは第二の透明ベースフィルムが第一の透明層と第二の透明層との間にあるように、垂直方向で一方が他方の上に配置される。一実施形態において、第一の透明層は、第一の透明ベースフィルム上に提供され、第二の透明層は、第二の透明ベースフィルム上に提供され、第一の透明層と第二の透明層とは、第一の透明ベースフィルムと第二の透明ベースフィルムとの両方ではなく、第一の透明ベースフィルムまたは第二の透明ベースフィルムが、第一の透明層と第二の透明層との間にあるように、垂直方向で一方が他方の上に配置される。
【００６９】
一実施形態において、第一の透明層は、透明ベースフィルムの第一の側に提供され、第二の透明層は、透明ベースフィルムの同じ第一の側に提供され、その結果、第一の透明層と第二の透明層とは、垂直方向で一方が他方の上に配置され、その結果、第一の電極と第二の電極とは、少なくとも一つの交差区域において重なるように見え、一方第一の電極の第一のパターンと第二の電極の第二のパターンとは、それ以外では基本的に重ならない。一実施形態において、第一の透明層は、透明ベースフィルムの第一の側に提供され、第二の透明層は、透明ベースフィルムの同じ第一の側に提供され、その結果、第一の透明層と第二の透明層とは、垂直方向で一方が他方の上に配置され、その結果、第一の電極と第二の電極とは、予め定められた数の交差点において互いに交差するように見え、一方第一の電極の第一のパターンと第二の電極の第二のパターンとは、それ以外では基本的に重ならない。この状況において、用語「それ以外では基本的に重ならない」は、本明細書においては、特に明記しない限り、その意図が、第一の電極の第一のパターンと第二の電極の第二のパターンとを、それらが重なるように見える交差点以外の他の部分において互いから分離して保つことであると理解するべきである。しかし、プロセス変動に起因して、電極パターンの他の部分においてもなんらかの意図的でない重なりが起こることがある。
【００７０】
一実施形態において、透明導電性フィルムは、接着剤層を含む。一実施形態において、接着剤は、アクリル接着剤、シリコーン接着剤（ｓｉｌｉｃｏｎ  ａｄｈｅｓｉｖｅ）、架橋ポリマー、およびそれらのいずれかの組合せからなる群から選択される。一実施形態において、接着剤は、光学透明接着剤（ＯＣＡ：ｏｐｔｉｃａｌｌｙ  ｃｌｅａｒ  ａｄｈｅｓｉｖｅ）、たとえば感圧性光学透明接着剤である。
【００７１】
一実施形態において、第一の透明ベースフィルム上に第一の透明層を提供するとき形成される構造体は、第二の透明ベースフィルム上に第二の透明層を提供するとき形成される構造体と一緒に接着剤で貼り合わされる。
【００７２】
一実施形態において、透明導電体材料の被覆率を低減するステップは、レーザープロセス、エッチングプロセス、直接印刷、機械的プロセス、バーニングプロセス、またはそれらのいずれかの組合せを用いることによって実行される。一実施形態において、エッチングプロセスは、フォトリソグラフィープロセスである。
【００７３】
一実施形態において、透明導電体材料の被覆率を低下させるステップは、交差区域において透明導電体材料中に少なくとも一つのスポットまたは少なくとも一本の線を形成することによって、または交差区域において透明導電体材料の厚さを減少させることによって実行される。一実施形態において、透明導電体材料の被覆率を低下させるステップは、少なくとも一つの交差点における第一の電極と第二の電極との少なくとも一方の厚さを減少させることによって実行される。
【００７４】
一実施形態において、透明導電体材料の被覆率は、第一の透明層と第二の透明層とが一方が他方の上に配置される前および／または後に、低減される。
【００７５】
一実施形態において、透明導電体材料の被覆率を低下させるステップは、予め定められた量の透明導電体材料を除去することによって実行される。
【００７６】
一実施形態において、透明導電体材料の被覆率を低下させるステップは、第一の電極および／または第二の電極を交差区域において、たとえば交差点においてより薄くすることによって実行される。一実施形態において、透明導電体材料の被覆率を低下させるステップは、第一の電極および／もしくは第二の電極の厚さを交差区域において、たとえば交差点においてより薄くすることによって、ならびに／または第一の電極および／もしくは第二の電極が交差区域において、たとえば交差点においてより薄い幅を有するようにすることによって実行される。
【００７７】
一実施形態において、交差区域（複数可）における第一の電極と第二の電極との合計の厚さが、別々に交差区域（複数可）の外側にある第一の電極と第二の電極とのそれぞれの厚さと基本的に同様であるように、交差区域（複数可）において第一の電極と第二の電極との少なくとも一方の厚さは、より薄くなる。一実施形態において、交差点（複数可）における第一の電極と第二の電極との合計の厚さが、別々に交差点（複数可）の外側にある第一の電極と第二の電極とのそれぞれの厚さと基本的に同様であるように、第一の電極と第二の電極との少なくとも一方の厚さは、交差点（複数可）においてより薄くなる。
【００７８】
一実施形態において、透明タッチ検知フィルムは、抵抗型タッチ検知フィルムである。一実施形態において、透明タッチ検知フィルムは、容量型タッチ検知フィルムである。
【００７９】
透明層は、電極のパターンを有するようにパターン形成されている透明導電体材料と、任意選択として、電極のパターンから分離された少なくとも一つのパッシブギャップ区域とを含む。従って、透明導電体材料は、電極のパターンとパッシブギャップ区域との両方を形成するために用いられることがある。透明導電体材料は、いずれかの適切な十分に透明な導電体材料またはそのような材料のいずれかの組み合わせを含むことがある。
【００８０】
一実施形態において、透明導電体材料は、導電性高アスペクト比分子構造体（ＨＡＲＭＳ）ネットワークを含むかまたは導電性ＨＡＲＭＳネットワークからなる。一実施形態において、透明導電体材料は、導電性高アスペクト比分子構造体（ＨＡＲＭＳ）ネットワークを含む。
【００８１】
導電性「ＨＡＲＭＳ」または「ＨＡＲＭ構造体」は、電気伝導性の「ナノ構造体」、すなわちナノメートルスケール、すなわち約１００ナノメートル以下の１つ以上の特性寸法を有する構造体を指す。「高アスペクト比」は、二つの直交する方向における導電性構造体の寸法が顕著に異なる桁の大きさであることを指す。たとえば、ナノ構造体は、その厚さおよび／または幅より数１０倍または数１００倍高い長さを有することがある。ＨＡＲＭＳネットワークにおいて、多数の前記ナノ構造体が、互いに相互接続して電気的に相互接続された分子のネットワークを形成する。巨視的スケールで考慮すると、ＨＡＲＭＳネットワークは、個々の分子構造が無秩序または無配向である、すなわち実質的にランダムに配向している、または配向している固体のモノリシック材料を形成する。妥当な比抵抗を有する薄い透明層の形でさまざまなタイプのＨＡＲＭＳネットワークを製造することができる。
【００８２】
一実施形態において、導電性ＨＡＲＭ構造体は、金属ナノワイヤ、たとえば銀ナノワイヤを含む。
【００８３】
一実施形態において、導電性ＨＡＲＭネットワークは、炭素ナノ構造体を含む。一実施形態において、炭素ナノ構造体は、カーボンナノチューブ、カーボンナノバッド、カーボンナノリボン、またはそれらのいずれかの組み合わせを含む。一実施形態において、炭素ナノ構造体は、カーボンナノバッド、すなわちカーボンナノバッド分子を含む。カーボンナノバッドまたはカーボンナノバッド分子は、管状の炭素分子の側面に共有結合したフラーレンまたはフラーレン様分子を有する。炭素ナノ構造体、特にカーボンナノバッドは、電気的観点、光学的観点（透明性）および機械的観点（柔軟性および／または変形性と組み合わされた堅牢性）の両方から有利を提供することがある。
【００８４】
一実施形態において、透明導電体材料は、透明導電性酸化物を含むかまたは透明導電性酸化物からなる。一実施形態において、透明導電体材料は、酸化インジウムスズ（ＩＴＯ）、酸化亜鉛、アルミニウムドープ酸化亜鉛（ＡＺＯ）、フッ素ドープ酸化スズ（ＦＴＯ）、またはそれらのいずれかの組み合わせを含むか、あるいは酸化インジウムスズ（ＩＴＯ）、酸化亜鉛、アルミニウムドープ酸化亜鉛（ＡＺＯ）、フッ素ドープ酸化スズ（ＦＴＯ）、またはそれらのいずれかの組み合わせからなる。一実施形態において、透明導電体材料は、透明導電性酸化物を含む。一実施形態において、透明導電性酸化物は、酸化インジウムスズ（ＩＴＯ）、酸化亜鉛、アルミニウムドープ酸化亜鉛（ＡＺＯ）、フッ素ドープ酸化スズ（ＦＴＯ）またはそれらのいずれかの組み合わせである。一実施形態において、透明導電性酸化物は、ドーピング剤、たとえばフッ素でドーピングされる。
【００８５】
一実施形態において、透明導電体材料は、グラフェン、銀ナノワイヤ、ポリ（３，４−エチレンジオキシチオフェン）ＰＥＤＯＴ、ポリ（３，４−エチレンジオキシチオフェン）：ポリスチレンスルホネート（ｐｏｌｙ（３，４−ｅｔｈｙｌｅｎｅｄｉｏｘｙｔｈｉｏｐｈｅｎｅ）ｐｏｌｙｓｔｙｒｅｎｅ  ｓｕｌｆｏｎａｔｅ）ＰＥＤＯＴ：ＰＳＳ、ポリアニリン、金属メッシュ導電体、またはそれらのいずれかの組み合わせを含むか、あるいはグラフェン、銀ナノワイヤ、ポリ（３，４−エチレンジオキシチオフェン）ＰＥＤＯＴ、ポリ（３，４−エチレンジオキシチオフェン）：ポリスチレンスルホネートＰＥＤＯＴ：ＰＳＳ、ポリアニリン、金属メッシュ導電体、またはそれらのいずれかの組み合わせからなる。一実施形態において、透明導電体材料は、グラフェン、銀ナノワイヤ、ポリ（３，４−エチレンジオキシチオフェン）ＰＥＤＯＴ、ポリ（３，４−エチレンジオキシチオフェン）：ポリスチレンスルホネートＰＥＤＯＴ：ＰＳＳ、ポリアニリン、金属メッシュ導電体、またはそれらのいずれかの組み合わせを含む。
【００８６】
透明層のそれぞれの厚さは、透明導電材料の特性、特にその比抵抗または導電率に従って設計されることがある。たとえば、炭素ナノ構造体を含む透明導電体材料の場合、透明層は、たとえば１〜１０００ｎｍの厚さを有することがある。一実施形態において、透明層の厚さは、０．１〜１０００ｎｍ、または１０〜８００ｎｍ、または５０〜３００ｎｍである。一実施形態において、透明層の厚さは、１０〜５０ｎｍ、または５０〜１００ｎｍ、または１５０〜３００ｎｍ、または５００〜１０００ｎｍである。しかし、本明細書に基づいて理解されるように、個別の透明層の厚さは、少なくとも一つの交差区域における透明導電体材料の被覆率の起こり得る低減を考慮して、一つの部分から別の部分へ変化することがある。
【００８７】
一実施形態において、少なくとも一枚の透明ベースフィルムを提供するステップは、前もって形成され製造された完全な透明ベースフィルムを利用可能にすることを含む。そのような透明ベースフィルムは、透明導電性フィルムを製造するための方法におけるその使用に向けて、いずれかの適切なプロセスによって最初に調製されることがある。一実施形態において、少なくとも一枚の透明ベースフィルムを提供するステップは、透明導電性フィルムを製造するための方法の一部として透明ベースフィルムを製造するステップを含む。
【００８８】
一実施形態において、透明ベースフィルム上に透明導電体材料を堆積させることによって透明導電体材料を含む透明層が提供される。
【００８９】
透明層の材料に依存して、透明層を提供するために当分野に存在するさまざまな手順が用いられることがある。たとえば、真空条件におけるスパッタリングによってＩＴＯが堆積されることがある。たとえば印刷によってＰＥＤＯＴまたは銀ナノワイヤが形成されることがある。たとえば印刷または電気メッキによって、あるいはいずれかの他の適切な方法によって金属メッシュが形成されることがある。
【００９０】
炭素ナノ構造体、たとえばカーボンナノバッド分子を含む透明導電体材料の場合、たとえば気相もしくは液体からの濾過、力の場における堆積、またはスプレーコーティングもしくはスピンドライイングを用いる溶液からの堆積の普通に知られている方法を用いて堆積が実行されることがある。カーボンナノバッド分子は、たとえば国際公開第２００７／０５７５０１号に開示されている方法を用いて合成され、たとえばエーロゾル流から、たとえば、たとえば電気泳動もしくは熱泳動の支援によるか、またはＮａｓｉｂｕｌｉｎら「Ｍｕｌｔｉｆｕｎｃｔｉｏｎａｌ  Ｆｒｅｅ−Ｓｔａｎｄｉｎｇ  Ｓｉｎｇｌｅ−Ｗａｌｌｅｄ  ２０  Ｃａｒｂｏｎ  Ｎａｎｏｔｕｂｅ  Ｆｉｌｍｓ」、ＡＣＳ  ＮＡＮＯ、第５巻、４号、３２１４〜３２２１頁、２０１１年に記載されている方法によって、透明ベースフィルム上に直接堆積することができる。
【００９１】
一実施形態において、少なくとも一枚の透明ベースフィルム上に透明導電体材料が堆積される。一実施形態において、透明導電体材料は、少なくとも一枚の透明フィルム上のパターンとして堆積される。
【００９２】
一実施形態において、透明導電体材料を含む透明層は、電極のパターンと、任意選択として、電極のパターンから分離された少なくとも一つのパッシブギャップ区域とを有するようにパターン形成される。電極のパターン、ならびに任意選択の少なくとも一つのパッシブギャップ区域は、透明ベースフィルム上に透明層が形成されたかもしくは堆積されたと同時にまたは透明ベースフィルム上に透明層が形成されたかもしくは堆積された後に提供されることがある。一実施形態において、透明層は、電極を形成するパターンと、任意選択としてパッシブギャップ区域において直接透明ベースフィルム上に形成されるかまたは堆積される。
【００９３】
前記パターン形成するステップにおいて、さまざまなプロセスが用いられることがある。一実施形態において、電極および任意選択として少なくとも一つのパッシブギャップ区域のパターンを形成するために、レーザープロセス、エッチングプロセス、直接印刷、機械的プロセス、バーニングプロセス、またはそれらのいずれかの組み合わせが用いられる。一実施形態において、レーザープロセスは、レーザーアブレーションである。一実施形態において、エッチングプロセスは、フォトリソグラフィープロセスである。
【００９４】
一実施形態において、透明導電性フィルムは、少なくとも一層の追加の層を含むかまたは少なくとも一層の追加の層を提供される。一実施形態において、透明導電性フィルム上に保護層が提供される。追加の層は、ベースプレートまたはカバープレートを含むことがある。ベースプレートおよびカバープレートのいずれかが、透明プラスチック材料、たとえばアクリレートもしくはＰＣまたはこれらのものの多層ラミネート、あるいはガラス材料、たとえばフロートガラス（ＳｉＯ２、Ｎａ２Ｏ、ＣａＯ、ＭｇＯを含む）、ソーダライムもしくはアルミノシリケートもしくはボロシリケートガラス、あるいはそのようなガラスおよび／またはプラスチック材料からなるラミネートを含むことがある。間に埋め込まれたプラスチック、たとえばポリビニルブチラール（ＰＶＢ）を有する二枚のフロートガラスシートを典型的な自動車安全ガラスが含むことがある。
【００９５】
一実施形態において、透明導電性フィルムは、少なくとも一つの方向で三次元表面に沿ったその曲げを、好ましくは可逆的にかつ繰り返して可能にするように柔軟な構造体として形成される。一実施形態において、透明導電性フィルムは、同時に少なくとも二つの方向に曲げることができる。透明導電性フィルムを製造するために用いられる材料に依存して、透明導電性フィルムが曲げられることがある最小曲率半径は、たとえば０．５ｍｍから３または１０ｍｍの範囲にあることがある。最小曲率半径は、カーボンナノバッドなどの炭素ナノ構造体を含む透明層の場合には実現されることがあるが、他の材料の場合には最も低い可能な曲率半径は、もっと高くなることがある。
【００９６】
一実施形態において、透明導電性フィルムは、三次元表面積に沿った透明導電性フィルムの変形を可能にするように変形可能な構造体として形成される。前記変形は、たとえば透明導電性フィルムの伸縮性に基づくことがあり、たとえば熱成形を用いることによって実行されることがある。柔軟性および／または変形性は、湾曲しているかまたは一般的に三次元形状の構造体、たとえばドーム形構造体としての透明導電性フィルムの使用を可能にするという追加の有用性を有することがある。
【００９７】
一実施形態において、透明導電性フィルムは、熱成形および／または射出成形に付されている。一実施形態において、この方法は、透明導電性フィルムを射出成形および／または熱成形に付することを含む。一実施形態において、透明導電性フィルムは、三次元形状を有するように成形される。
【００９８】
本出願に記載される利益および利点は、一実施形態に関することがあり、またはいくつかの実施形態に関することがあると理解されよう。実施形態は、言及された問題のいずれかまたはすべてを解決するものあるいは言及された利益および利点のいずれかまたはすべてを有するものに限定されない。
【００９９】
これまでに記載された実施形態は、それぞれ互いとのいずれかの組み合わせで用いられることがある。実施形態のいくつかが、さらに別の実施形態を形成するために一緒に組み合わされることがある。本出願が関連する透明導電性フィルム、方法、タッチ検出装置または使用が、これまでに記載された実施形態の少なくとも一つを含むことがある。
【０１００】
本明細書において定義される方法によって製造される透明導電性フィルムは、第一の透明層と第二の透明層との透明導電体材料が形成する重なりが人間の肉眼には基本的に見えないことがあるという、交差区域として改善された外観を有する追加の有用性を有する。
【０１０１】
透明導電性フィルムを製造するための方法は、たとえば電極によって形成される眼に見えるパターンの影響を軽減するために通常は必要である追加の透明導電体材料の充填剤の使用のない透明導電性フィルムの製造を可能にするという追加の有用性を有する。
【０１０２】
透明導電性フィルムは、交差区域において透明導電体材料の被覆率が調節されても低減されてもいない類似の透明導電性フィルムと比較すると、視覚的な均一性を犠牲にすることなくフィルムを通して適当な透明性を有するという追加の有用性を有する。
【０１０３】
本透明導電性フィルムを製造するための方法は、透明性を犠牲にすることなく改善された導電率を示し、その逆も真である透明導電性フィルムの製造を可能にするという追加の有用性を有する。
【実施例】
【０１０４】
次に、添付の図面に例を例示している実施形態の記載を詳しく参照する。
【０１０５】
下記記載は、当業者が、この開示に基づいて本方法、本透明導電性フィルムおよび本タッチ検出装置を利用することができるような詳しさでいくつかの実施形態を開示している。これら実施形態のすべてのステップを詳細に考察しているわけではない。本明細書に基づけば、これらのステップの多くが当業者に自明だからである。
【０１０６】
簡単さを目的として、例となる以下の実施形態において、繰り返しの構成部品の場合に項目番号を維持する。
【０１０７】
図１は、本明細書に記載する一実施形態による透明導電性フィルム１の正面図を概略的に例示している。図１から、基本的に垂直な方向から少なくとも一枚の透明ベースフィルムの第一の側または第二の側の方を見たとき、第一の透明層の電極４ａと第二の透明層の電極４ｂとが互いに交差するように見える、予め定められた数の交差区域または交差点５１、５２．．．５ｎを第一の電極４ａの第一のパターンと第二の電極４ｂの第二のパターンとが形成するように、第一の透明層と第二の透明層とを互いに対して一方が他方の上になるように配置したとき、第一の電極４ａの第一のパターンと第二の電極４ｂの第二のパターンとが形成する、予め定められたパターンを見ることができる。図１において、電極が形成するパターンは、この実施形態をより良好に例示するために黒色で目立たせていることを強調するべきである。しかし、実際には電極は透明なことがあり、基本的に肉眼には見えない。図１において第一の電極が第二の電極と交差するとき形成されるすべての交差点が参照番号への標示付きで例示されてはいないが、標示５１、５２．．．５ｎが予め定められたパターンで形成されたすべての交差点を意味することは明らかである。
【０１０８】
図２は、透明ベースフィルム２の第一の側２ａに第一の電極の第一のパターンを有する第一の透明層３１が提供され、たとえば堆積され、透明ベースフィルム２の第二の側２ｂに第二の電極の第二のパターンを有する第二の透明層３２が提供され、たとえば堆積される一実施形態による透明導電性フィルム１の断面図を概略的に例示している。図２は、第一の透明層の透明導電体材料と第二の透明層の透明導電体材料とが少なくとも一つの交差区域と少なくとも一つの重ならない区域とを形成する結果生じる、第一の透明層と第二の透明層との厚さの変動または差異を例示していない。
【０１０９】
図３ａは、第一の電極の第一のパターンを有する第一の透明層３１は、第一の透明ベースフィルム２１の上に、たとえば第一の透明ベースフィルム２１の第一の側に形成され、第二の電極の第二のパターンを有する第二の透明層３２は、第二の透明ベースフィルム２２の上に、たとえば第二の透明ベースフィルム２２の第一の側に形成される、一実施形態による透明導電性フィルム１の断面図を概略的に例示している。透明ベースフィルムの上に透明層を提供すると形成されるこれら二つの構造体を、次に一方が他方の上になるように配置する。図３ｂは、透明層を含む上記記載の構造体を透明ベースフィルム上に貼り合わせるために接着剤６を用いるという差異を有する、図３ａの実施形態による透明導電性フィルムの断面図を概略的に例示している。図３ａおよび図３ｂは、第一の透明層の透明導電体材料と第二の透明層の透明導電体材料とが少なくとも一つの交差区域と少なくとも一つの重ならない区域とを形成する結果生じる第一の透明層と第二の透明層との厚さの変動または差異を例示していない。
【０１１０】
図４ａは、第一の透明層３１と第二の透明層３２とが両方とも透明ベースフィルム２の第一の側２ａに提供される、一実施形態による透明導電性フィルム１の断面図を概略的に例示している。図４ａは、第一の透明層の透明導電体材料と第二の透明層の透明導電体材料とが少なくとも一つの交差区域と少なくとも一つの重ならない区域とを形成する結果生じる第一の透明層と第二の透明層との厚さの変動または差違を例示していない。図４ｂは、第一の電極４ａの第一のパターンと第二の電極４ｂの第二のパターンとが、予め定められた数の交差区域、たとえば交差点（５１、５２）において互いに交差するように見え、一方第一の電極の第一のパターンと第二の電極の第二のパターンとはそれ以外では基本的に重ならないように、第一の透明層と第二の透明層とを互いに対して一方が他方の上になるように配置する、図４ａに例示した透明導電性フィルムの正面図を概略的に例示している。
【０１１１】
図５ａは、一実施形態による第一の電極の第一のパターン、たとえばＸ電極を有するようにパターン形成される透明導電体材料を含む第一の透明層を例示している。図５ｂは、一実施形態による第二の電極の第二のパターン、たとえばＹ電極を有するようにパターン形成される透明導電体材料と、第二のパッシブギャップ区域とを含む第二の透明層を例示している。図５ｃは、図５ａの透明導電体材料を含む第一の透明層と図５ｂの透明導電体材料を含む第二の透明層とを、一実施形態によって一方が他方の上になるように配置するときの状況を例示している。
【０１１２】
図６ａは、透明導電体材料の被覆率をどのように調節することがあるかを概略的に例示している。図６ａ〜６ｃにおいて、第一のパッシブギャップ区域６ａと第二のパッシブギャップ区域６ｂとの透明導電体材料の被覆率は、第一の透明層と第二の透明層とが垂直方向で一方が他方の上に配置される状況において、どのように少なくとも部分的に重なることがあるかの実施形態を例示している。図６ａは、第一のパッシブギャップ区域６ａの透明導電体材料の被覆率を第一のパッシブギャップ区域の第一の端６ａ１から第一のパッシブギャップ区域の第二の端６ａ２へどのように徐々に低減し得るかを概略的に例示している。図６ｂは、第一のパッシブギャップ区域６ａと比較して逆向きに、第二のパッシブギャップ区域６ｂの透明導電体材料の被覆率を第二のパッシブギャップ区域６ｂの第一の端６ｂ１から第二の端６ｂ２へどのように徐々に低減し得るかを概略的に例示している。図６ｃは、この実施形態において第一のパッシブギャップ区域と第二のパッシブギャップ区域とが少なくとも部分的に重なるように見えるように、第一の透明層と第二の透明層とを一方が他方の上になるように配置するときの状況を概略的に例示している。
【０１１３】
図７ａは、一実施形態による透明導電性フィルムの正面図を概略的に例示し、図７ｂは、図７ａの透明導電性フィルムの一部分の断面図、すなわち図７ａおよび図７ｂに示した点Ａから点Ｂの透明導電性フィルムの断面図を概略的に例示している。図７ａにおいて、透明導電性フィルムの観測領域７が提示されている。透明導電性フィルムは、提示された観測領域７を超えて延在することがある。図７ａに例示した実施形態は、第一の電極４ａの第一のパターンを有するようにパターン形成される透明導電体材料の第一の透明層と、第二の電極４ｂの第二のパターンを有するようにパターン形成される透明導電体材料の第二の透明層とを含む。図７ａの実施形態において、第一の電極４ａの第一のパターンと第二の電極４ｂの第二のパターンとは、電極が互いに交差するように見える４つの交差区域５１、５２、５３、５４を形成する。さらに、図７ａの実施形態において、第一の電極４ａの第一のパターンと第二の電極４ｂの第二のパターンとは、重ならない区域も形成し、そのうちの２つを図７ａにおいて参照番号、すなわち８１、８２で示している。これらの重ならない区域において、第一の電極の第一のパターンと第二の電極の第二のパターンとは、基本的に重なることがない。
【０１１４】
図７ｂにおいて例示しているように、第一の透明層は、第一の電極の第一のパターンから分離された透明導電体材料の第一のパッシブギャップ区域をさらに含み、第二の透明層は、第二の電極の第二のパターンから分離された透明導電体材料の第二のパッシブギャップ区域をさらに含む。これらのパッシブギャップ区域は、少なくとも部分的に重なり、従って、さらに別の交差区域を形成するように見え、そのうち一つを図７ａにおいて参照番号５ｎで示している。
【０１１５】
図７ｂにおいて、図７ａの実施形態の点Ａから点Ｂの断面図を例示している。図７ｂにおいて、一つの透明ベースフィルム２が提供され、観測領域内に、第一の電極４ａの第一のパターンと第一の電極の第一のパターンから分離された第一のパッシブギャップ区域６ａとを有するようにパターン形成される透明導電体材料を含む第一の透明層と、第二の電極４ｂの第二のパターンと第二の電極の第二のパターンから分離された第二のパッシブギャップ区域６ｂとを有するようにパターン形成される透明導電体材料を含む第二の透明層とを有する、実施形態を見ることができる。基本的に垂直な方向から透明ベースフィルム２の第一の側または第二の側の方を見たとき、第一の透明層の透明導電体材料６ａと第二の透明層の透明導電体材料６ｂとが重なるように見える交差区域５ｎと、第一の透明層の透明導電体材料４ａと第二の透明層の透明導電体材料４ｂとが重なるように見えない二つの重ならない区域８１、８２とを、第一の透明層と第二の透明層とが形成するように、第一の透明層の透明導電体材料４ａ、６ａと第二の透明層の透明導電体材料４ｂ、６ｂとを垂直方向で一方が他方の上になるように配置する。図７ｂは、交差区域における第一の透明層と第二の透明層との透明導電体材料の被覆率を、重なりのない区域における第一の透明層と第二の透明層との透明導電体材料の被覆率と比較して低減する一つの方法を概略的に例示している。
【０１１６】
実施例１−透明導電性フィルムを製造するステップ
本実施例においては、以下の手順によって透明導電性フィルムを製造した。
【０１１７】
まず、本実施例においては、二枚の別々の透明ベースフィルム、すなわち第一の透明ベースフィルムと第二の透明ベースフィルムとを提供した。これら透明ベースフィルムの両方がポリカーボネート（ＰＣ）フィルムであった。
【０１１８】
次に、透明導電体材料を含む第一の透明層を第一の透明ベースフィルム上に形成し、透明導電体材料を含む第二の透明層を第二の透明ベースフィルム上に形成した。
【０１１９】
本実施例において、透明導電体材料は、カーボンナノバッド分子を含んでいた。カーボンナノバッド分子は、たとえば国際公開第２００７／０５７５０１（Ａ１）号中に開示されている合成プロセスの詳細に従って合成することができる。二枚のポリカーボネートフィルムのそれぞれの上にカーボンナノバッド分子を堆積して透明導電体材料を上に含む透明層を形成した。
【０１２０】
二枚のポリカーボネートフィルムのそれぞれの上にカーボンナノバッド分子を堆積させたら、パターン形成を実行して第一の透明層の中の第一の電極の第一のパターンと第二の透明層の中の第二の電極の第二のパターンとを形成した。第一の電極の第一のパターンと第二の電極の第二のパターンとをそれぞれ作るためにレーザーアブレーション（Ｄｅｌｐｈｉ  ＬＥＳ−Ｇ５、ＩＲ波長ナノ秒パルスレーザー）を用いた。第一の電極の第一のパターンと第二の電極の第二のパターンとを作るために以下のレーザーパラメータを用いた。電力：２４、周波数：２５０、マーク速度（ｍｍ／ｓ）：２０００、カウント：１。
【０１２１】
予め定められた電極のパターンを透明層に提供するステップと同時に、後の段階において、形成した第一の電極と第二の電極とが交差点において互いに交差するように見えるように第一の透明層と第二の透明層とを一方が他方の上になるように配置するときに形成する予め定められた交差点における透明導電体材料の被覆率も、第一の電極の第一のパターンと第二の電極の第二のパターンとを作るために用いたものと同じレーザーアブレーションプロセスを用いることによって、これらの交差点における第一の電極および第二の電極から低減した。透明導電体材料の被覆率を交差点の外より低くなるように低減した。交差点における第一の電極と第二の電極との両方の透明導電体材料の被覆率を低減するために以下のレーザーパラメータを用いた。Ｄｅｌｐｈｉ  ＬＥＳ−Ｇ５、ＩＲ波長ナノ秒パルスレーザー、電力：２０、周波数：２５０、マーク速度（ｍｍ／ｓ）：２０００、カウント：１。
【０１２２】
その結果、第一の電極の第一のパターンを有するようにパターン形成される透明導電体材料を含む第一の透明層を第一の透明ベースフィルム上に提供し、第二の電極の第二のパターンを有するようにパターン形成される透明導電体材料を含む第二の透明層を第二の透明ベースフィルム上に提供した。次に、これら二つの構造体を一方が他方の上になるように配置した。
【０１２３】
本実施例において、交差点における第一の電極と第二の電極との両方から透明導電体材料の被覆率を４５面積％低減した。その結果、交差点における第一の透明層と第二の透明層との透明導電体材料によって吸収される可視光の合計百分率は、１０％から７％へ減少した。別々の透明導電体材料の層で形成されていたが、形成した透明導電性フィルムは、一層だけの透明導電体材料で形成されている外観を有した。特に、第一の電極の第一のパターンと第二の電極の第二のパターンとによって形成された交点は、肉眼で識別することができなかった。
【０１２４】
実施例２−透明導電性フィルムを製造するステップ
本実施例においては、以下の手順によって透明導電性フィルムを製造した。
【０１２５】
まず、第一の透明ベースフィルム上の透明導電体材料を含む第一の透明層と、第二の透明ベースフィルム上の透明導電体材料と、を含む第二の透明層を提供するための手順を、実施例１に記載の通りに繰り返した。
【０１２６】
二枚のポリカーボネートフィルムのそれぞれの上にカーボンナノバッド分子を堆積してから、パターン形成を行って第一の透明層の中の第一の電極の第一のパターンと第二の透明層の中の第二の電極の第二のパターンとを形成した。本実施例において、第一の電極の第一のパターンと第二の電極の第二のパターンとは、以下のフォトリソグラフィープロセスによって形成した。まず、堆積したカーボンナノバッド分子の層の上にフォトレジスト材料の層を約１μｍの厚さにスピンコートした。次に、予め定められたパターンを有するフォトマスクを透明ベースフィルムと位置合わせした。次にフォトマスク中の開口を通してフォトレジストを紫外線に露光した。露光したフォトレジストの領域中のポリマー分子は、紫外線光子の吸収によって変化し、変化したフォトレジストは現像液に溶けやすくなった。次に、全体を現像液中に浸漬することによって露光したレジストを除去した。残ったフォトレジストを、透明層中へのエッチング用のマスク層として使用した。次に、酸エッチングを用いて透明導電体材料、すなわちカーボンナノバッド分子を含む透明層の一部を除去し、従ってパターンを透明層に転写し、従って第一の電極の第一のパターンと第二の電極の第二のパターンとを形成した。最後に、アセトン溶媒を用いることによってフォトレジストを洗浄除去した。実施例１について上記で記載したように、本実施例においても、上記記載のフォトリソグラフィー手順に従うことによって交差点における透明導電体材料の材料被覆率を低減した。
【０１２７】
その結果、第一の電極の第一のパターンを有するようにパターン形成される透明導電体材料を含む第一の透明層を第一の透明ベースフィルム上に提供し、第二の電極の第二のパターンを有するようにパターン形成される透明導電体材料を含む第二の透明層を第二の透明ベースフィルム上に提供した。次に、これら二つの構造体を、一方が他方の上になるように配置した。
【０１２８】
透明導電体材料の別々の層で形成されていても、形成された透明導電性フィルムは、透明導電体材料の一層だけで形成されている外観を有した。特に、第一の電極の第一のパターンと第二の電極の第二のパターンとによって形成された交差点は、肉眼で識別することができなかった。
【０１２９】
請求項の実施形態は、上記で考察したものに限定されず、請求項の範囲内でさらに別の実施形態が存在し得る点に注意する。
【図１】
2020524841.tif 000003
【図２】
2020524841.tif 000004
【図３ａ】
2020524841.tif 000005
【図３ｂ】
2020524841.tif 000006
【図４ａ】
2020524841.tif 000007
【図４ｂ】
2020524841.tif 000008
【図５ａ】
2020524841.tif 000009
【図５ｂ】
2020524841.tif 000010
【図５ｃ】
2020524841.tif 000011
【図６ａ】
2020524841.tif 000012
【図６ｂ】
2020524841.tif 000013
【図６ｃ】
2020524841.tif 000014
【図７ａ】
2020524841.tif 000015
【図７ｂ】
2020524841.tif 000016
【国際調査報告】
2020524841.tif 000017
2020524841.tif 000018
2020524841.tif 000019
2020524841.tif 000020
2020524841.tif 000021